(57)【特許請求の範囲】
【請求項１】
ガス・蒸気・コンバインドサイクル発電所（１０）の運転方法であって、ガスタービン（１２）の排ガスにより蒸気発生器（２０）に高温の蒸気が発生され、この高温蒸気を用いて少なくとも１つのタービン装置（２２）を介して、電気を供給するための少なくとも１台の発電機（３０）が駆動される方法において、
・前記発生された蒸気の少なくとも一部を分岐し、この分岐された蒸気を蒸気蓄積器（３４）に蓄えるステップと、
・前記蒸気蓄積器（３４）に蓄えられた前記蒸気の少なくとも一部を当該蒸気蓄積器（３４）から排出し、当該蒸気蓄積器（３４）から排出された蒸気を、前記ガス・蒸気・コンバインドサイクル発電所（１０）の反応装置（４０）に供給するステップと、
・前記蒸気発生器（２０）の下流の前記排ガスの少なくとも一部から得られた熱を吸熱化学反応の反応物に伝達し、発熱化学反応の反応物として利用される前記吸熱化学反応の生成物を生成し、前記蒸気蓄積器（３４）から排出された前記蒸気を、前記反応装置（４０）内で生じる前記発熱化学反応で解放される熱により前記反応装置（４０）内で加熱するステップと、
・前記加熱された蒸気を前記タービン装置（２２）に導き、このタービン装置を供給された前記加熱された蒸気により駆動するステップと、
を備えることを特徴とする方法。
【請求項２】
前記吸熱化学反応を惹き起こすための熱が、前記排ガスにより発生された前記蒸気の少なくとも一部から得られることを特徴とする、請求項１に記載の方法。
【請求項３】
前記吸熱化学反応を惹き起こすために、前記蒸気の一部から得られた前記熱が前記吸熱化学反応の反応物に伝達されることを特徴とする、請求項２に記載の方法。
【請求項４】
前記ガス・蒸気・コンバインドサイクル発電所（１０）を第１の負荷領域からこの第１の負荷領域よりも大きい第２の負荷領域に出力アップすべく前記タービン装置（２２）を駆動するために、当該タービン装置（２２）に前記加熱された蒸気を供給することを特徴とする、請求項１から３のいずれか１項に記載の方法。
【請求項５】
前記吸熱化学反応が前記第２の負荷領域で惹き起こされることを特徴とする、請求項４に記載の方法。
【発明の詳細な説明】
【技術分野】
【０００１】
本発明は、請求項１の前文に記載のガス・蒸気・コンバインドサイクル発電所の運転方法に関する。
【背景技術】
【０００２】
ガス・蒸気・コンバインドサイクル発電所のこのような運転方法、並びに、このようなガス・蒸気・コンバインドサイクル発電所（GuD-Kraftwerk）は一般的な従来技術から既によく知られている。ガス・蒸気・発電所はコンバインドサイクル発電所とも呼ばれ、少なくとも１つのタービン装置、電気を供給するためにこのタービン装置で駆動される少なくとも１つの発電機、及び、少なくとも１つのガスタービンを含んでいる。発電機がタービン装置で駆動されると、発電機は機械エネルギーを電気エネルギーすなわち電流に変換し、この電気エネルギーすなわち電流を供給する。この電流は次に例えば電力系統に供給される。
【０００３】
この場合、ガスタービンは排ガスを供給し、この排ガスにより高温の蒸気が発生される。例えば、ガスタービンには燃料、特に例えば天然ガスのようなガス燃料が供給され、この燃料がガスタービンにより燃焼される。特に、ガスタービンには燃料に加えて酸素ないし空気が供給されるので、空気と燃料から燃料・空気・混合気が生成される。この燃料・空気・混合気が燃焼され、その結果、ガスタービンの排ガスが生じる。この排ガスを用いて例えば液体、特に水が加熱され、蒸発し、その結果、高温蒸気が生成される。このことは、ガスタービンの排ガスを用いて、ガスタービンの高温排ガスにより液体、例えば水が蒸発して高温蒸気が発生される、ことを意味する。
【０００４】
この蒸気がタービン装置に供給されるので、このタービン装置はこの蒸気により駆動される。既述したように、タービン装置を介して、すなわち、タービン装置により発電機が駆動される。ガス・蒸気・コンビ発電所とも呼ばれるガス・蒸気・コンバインドサイクル発電所は、ガスタービン発電所と蒸気発電所の原理が組み合わされた発電所である。この場合、ガスタービンないしその排ガスは後置接続された蒸気発生器の熱源として働き、この蒸気発生器によりタービン装置用の、すなわち、タービン装置を駆動するための蒸気が発生される。すなわち、このタービン装置は蒸気タービンとして形成されている。
【０００５】
このようなガス・蒸気・コンバインドサイクル発電所（GuD-Kraftwerk）は、特に電力需要に応じて運転を停止しなければならないことが判っており、その結果、発電機は電気を供給せず、例えば駆動されず、さらにその結果、ガス・蒸気・コンバインドサイクル発電所から電力系統へは電気が供給されない。この運転停止の結果、ガス・蒸気・コンバインドサイクル発電所はクールダウンし、その結果、ガス・蒸気・コンバインドサイクル発電所の再運転投入ないし出力アップには特に長い時間と特に大きなエネルギーが必要となる。そこで通常は、ガス・蒸気・コンバインドサイクル発電所が運転停止されている期間は、そのガス・蒸気・コンバインドサイクル発電所を保温するように構成されている。この場合、ガス・蒸気・コンバインドサイクル発電所は蒸気を用いて保温される。保温のための蒸気は通常はボイラーにより、特にガスボイラーにより発生される。ボイラーにより、例えば水のような液体が蒸発され、このために燃料が使用される。このボイラーにより発生された蒸気はガス・蒸気・コンバインドサイクル発電所を保温すべく、ないし、温めるべく、そのガス・蒸気・コンバインドサイクル発電所の少なくとも一部を通って導かれる。次にこのガス・蒸気・コンバインドサイクル発電所は、その運転停止後に、ホットスタート運転で起動することができる。というのは、このガス・蒸気・コンバインドサイクル発電所は既に、スタート可能な十分に高い温度となっているからである。
【０００６】
しかし、ガス・蒸気・コンバインドサイクル発電所が運転停止されている時間が長くなるにつれて、この発電所は徐々にクールダウンするので、保温ないし加温のための蒸気量を増やす必要がある。
【０００７】
さらに公知のように、このようなガス・蒸気・コンバインドサイクル発電所は、特に電力需要に応じて様々な負荷領域で運転される。例えば、ガス・蒸気・コンバインドサイクル発電所は全負荷領域で、すなわち、全負荷状態で、並びに、これよりも低い部分負荷領域で、すなわち、部分負荷状態で運転することができる。部分付加領域の運転から全負荷領域の運転に切り替えるために、このガス・蒸気・コンバインドサイクル発電所は部分付加領域からこれよりも高い全負荷領域へ出力アップされる。この場合、ガス・蒸気・コンバインドサイクル発電所の急速な出力アップが望まれる。この出力アップ（Hochfahren）はHochlaufen,Hochlauf  又はランプアップ（RampUp）とも呼ばれる。これは、ガス・蒸気・コンバインドサイクル発電所が運転される際の負荷が高められることを意味する。
【発明の概要】
【発明が解決しようとする課題】
【０００８】
そこで本発明の課題は、冒頭に述べた様式の方法を改善して、ガス・蒸気・コンバインドサイクル発電所の急速で且つエネルギー効率の良い出力アップを実現することにある。
【課題を解決するための手段】
【０００９】
この課題は請求項１の特徴を備えた方法により解決される。本発明の合目的的な改善を有する好適な形態は従属請求項に記載されている。
【００１０】
請求項１の前文に記載された様式の方法を、ガス・蒸気・コンバインドサイクル発電所を特に急速に且つ効率良く、すなわちエネルギー効率よく、出力アップできるように改善するために、本方法の第１ステップにおいて、ガスタービンにより、すなわち、ガスタービンの排ガスにより、発生された蒸気が分岐される。この分岐された蒸気、すなわち、この蒸気の分岐された部分は蒸気蓄積器、特にルース式アキュムレータ（Ruthsspeicher）に蓄えられる。このルース式アキュムレータは、例えば、特にその大部分が沸騰水で満たされた貯蔵領域を有する蒸気蓄積器である。すなわち、この貯蔵容器の少なくとも第１の部分領域は沸騰水で満たされている。この貯蔵容器の、上述の第１の部分領域とは異なる第２の部分領域、特に貯蔵容器の残りの部分、は沸騰水と同じ温度の水蒸気で満たされている。この貯蔵容器から蒸気が取り出されると、再蒸発が生じ、これに従って沸騰水から新たな蒸気、すなわち、水蒸気が発生する。このために必要な熱は沸騰水から得られる。
【００１１】
本方法の第２ステップでは、蒸気蓄積器に蓄積された蒸気の少なくとも一部がその蒸気蓄積器から排出される。本方法の第３ステップでは、蒸気蓄積器から排出された蒸気が、発熱化学反応で解放される熱によって加熱される。換言すれば、本方法の一環として発熱化学反応、すなわち、熱を放出する化学反応、が惹き起こされ、この発熱化学反応の一環として熱が解放される。この発熱化学反応の一環として解放された熱が、蒸気蓄積器から排出された蒸気を加熱するために、特に過熱するために、利用される。この発熱化学反応で解放された熱により加熱された蒸気はタービン装置に案内され、このタービン装置はこの供給された加熱蒸気により駆動される。この発熱化学反応で解放された熱を用いて蒸気を特にエネルギー効率よく加熱し、これによって、特に有利な高温にすることができるので、タービン装置をこの加熱された蒸気で特に効率よく駆動することができる。
【００１２】
特に、タービン装置を加熱された蒸気で加速することができるので、このガス・蒸気・コンバインドサイクル発電所を、加熱されタービン装置に供給された蒸気により特に急速に出力アップすることができ、その結果、第１の負荷領域から、この第１の負荷領域よりも大きい第２の負荷領域に持ち込むことができる。こうして、ガス・蒸気・コンバインドサイクル発電所の総合的に特に効率の良い、すなわち、エネルギー的に有利な運転を実現することができる。
【００１３】
本発明の好適な一実施形態では、熱により惹き起こされる吸熱化学反応の生成物が、発熱化学反応の反応物として利用されるように構成されている。
【００１４】
本発明の好適な一実施形態では、吸熱化学反応を惹き起こすための熱が、排ガスにより発生された蒸気の少なくとも一部から得られるように構成されている。
【００１５】
本発明の好適な一実施形態では、吸熱反応を惹き起こすために、前記蒸気の一部から得られた熱が吸熱化学反応の反応物に伝達されるように構成されている。
【００１６】
本発明の好適な一実施形態では、ガス・蒸気・コンバインドサイクル発電所を第１の負荷領域からこの第１の負荷領域よりも大きい第２の負荷領域に出力アップすべくタービン装置を駆動するために、このタービン装置に加熱された蒸気を供給するように構成されている。
【００１７】
本発明の好適な一実施形態では、前記吸熱化学反応が前記第２の負荷領域で惹き起こされるように構成されている。
【００１８】
本発明には、本発明による方法を実施するためのガス・蒸気・コンバインドサイクル発電所も含まれている。本発明による方法の好適な形態は本発明によるガス・蒸気・コンバインドサイクル発電所の好適な形態と見做すことができ、逆に、本発明によるガス・蒸気・コンバインドサイクル発電所の好適な形態は本発明による方法の好適な形態と見做すことができる。
【００１９】
本発明のさらなるメリット、特徴及び詳細について、好適な実施例に関する下記明細書の記載並びに図面に基づき説明する。本明細書において上述した諸特徴、及び、特徴の組合わせ、並びに、以下に図面の説明において以下に記載された諸特徴及び特徴の組合わせ、及び／又は、この唯一の図面においてのみ示された、諸特徴及び特徴の組合わせは、その都度記載された組合せにおいてだけでなく、他の組合せにおいても、又は、単独でも、本発明の範囲を逸脱することなく、利用することができる。
【図面の簡単な説明】
【００２０】
【図１】ガス・蒸気・コンバインドサイクル発電所を模式的に示す唯一の図であり、このガス・蒸気・コンバインドサイクル発電所は、発熱化学反応で解放される熱を用いて特に急速に且つエネルギー効率よく出力アップすることができる。
【発明を実施するための形態】
【００２１】
唯一の図面である図１は、全体として符号１０を付したガス・蒸気・コンバインドサイクル発電所の模式図であり、この発電所はＧｕＤ発電所とも、又は、読み易くするために発電所とも記される。この発電所は少なくとも１つのガスタービン１２を含み、このガスタービンには例えば、発電所を運転するための一環として燃料が供給される。ガスタービン１２への燃料供給は図では方向付き矢印１４で示されている。この燃料は特に、例えば天然ガスのようなガス燃料である。さらに、ガスタービン１２へは空気が供給され、これは図では方向付き矢印１６で示されている。この燃料はガスタービン１２により燃焼され、その結果、ガスタービン１２の排ガスが発生する。こうしてガスタービン１２は排ガスを供給し、このことが図では方向付き矢印１８で示されている。ガスタービン１２の内部で例えば、燃料と空気とから成る混合気が形成され、この混合気が燃焼される。その結果、ガスタービン１２の排ガスが発生する。
【００２２】
方向付き矢印１８から判るように、この排ガスが発電所の蒸気発生器２０に供給される。この蒸気発生器２０はボイラー又は蒸発器とも呼ばれる。さらに、蒸気発生器２０には特に水の形態の液体が供給される。ここで、ガスタービン１２の排ガスから水への熱伝達が行われ、これによりこの水が加熱され蒸発する。こうして、水から蒸気が生成される。このことは、ガスタービン１２の排ガスおよび蒸気発生器２０を用いて、蒸気発生器２０に供給された水（液体）から蒸気が発生されることを示す。排ガスから水へのこの熱伝達の結果、排ガスは冷却されるので、この排ガスは例えば第１の温度Ｔ１で蒸気発生器２０から排出される。この第１の温度Ｔ１は例えば少なくともほゞ９０℃（摂氏）である。
【００２３】
この発電所はさらに、全体を符号２２で示されたタービン装置を含み、このタービン装置はここでは第１タービン２４及び第２タービン２６を含んでいる。この第１タービンは例えば高圧タービンとして形成されており、第２タービンは中圧及び低圧タービンとして形成されている。ガスタービン１２の排ガスおよび蒸気発生器２０を用いて発生された蒸気がタービン装置２２に供給され、その結果、タービン装置２２、特にタービン２４および２６が発生された高温蒸気により駆動される。タービン装置２２により、この高温蒸気に含まれているエネルギーが機械エネルギーに変換され、この機械エネルギーがシャフト２８を介して供給される。タービン装置２２は例えば、図面に詳細には示されていないタービンホイールを含み、このタービンホイールに蒸気が供給される。これによってこのタービンホイールが蒸気により駆動される。これらのタービンホイールは例えばシャフト２８に回り止めして結合されているので、タービンホイールが蒸気で駆動されると、シャフト２８がタービンホイールにより駆動される。
【００２４】
この発電所はさらに少なくとも１つの発電機３０を含んでおり、この発電機はタービン装置２２のシャフト２８を介して駆動することができる、ないし、駆動される。こうして、発電機３０にシャフト２８を介して機械エネルギーが供給され、この発電機３０によって、供給された機械エネルギーの少なくとも一部が電気エネルギーすなわち電流に変換される。この発電機３０はこの電流を供給することができ、この電流は例えば電力系統に供給することができる。
【００２５】
前記蒸気はタービン装置２２から排出されて、コンデンサーとして機能する、ないし、形成されている熱交換器３２に供給される。この熱交換器３２によりこの蒸気が冷却され、それによりこの蒸気は凝縮する。こうして、この蒸気は再び上述した水となり、この水を蒸気発生器２０に再び供給することができる。
【００２６】
前記蒸気を熱交換器３２で冷却するために、熱交換器３２には例えば冷媒、特に冷却液が供給される。この場合、蒸気から冷却液への熱伝達が起こり、これによって蒸気が冷却され、その結果、凝縮する。
【００２７】
この発電所は、図面に詳細には示されていない多数の配管を有し、これらの配管を通って、ガスタービン１２の排ガスにより発生された蒸気がそれぞれ流れる。これらの流れの温度は異っている。図面にはガスタービン１２の排ガスにより発生された蒸気の異なる温度Ｔ２、Ｔ３及びＴ４が示されており、ここでは、温度Ｔ２は例えば５９５℃、温度Ｔ３は３６０°、そして、温度Ｔ４は２４０℃である。水は例えば４０℃の温度Ｔ５でコンデンサーから流出する。
【００２８】
電力需要に応じて、この発電所は、例えば、第１の負荷領域で、並びに、この第１の負荷領域よりも大きい第２の負荷領域で運転することができる。この第２の負荷領域は例えば、発電所が全負荷で、すなわち、全負荷下で運転される全負荷領域である。これは例えば、電力需要が高い場合である。電力需要が低い場合には、この発電所は、例えば、全負荷領域よりも低い、第１の負荷領域で運転される。電力需要が大きくなると、発電所を第１の負荷領域から第２の負荷領域に切り替える必要がある。このために発電所の出力アップが行われる。この第１の負荷領域は例えば部分負荷領域である。換言すれば、この発電所は、第１の負荷領域では第１の負荷で、第２の負荷領域では第１の負荷よりも大きい第２の負荷で運転される。しかし、この両方の負荷は零よりも大きい。すなわち、この発電所は両方の負荷領域で作動されている、すなわち、運転投入されている。
【００２９】
発電所の出力アップに際しては、例えば、タービン装置２２、特にシャフト２８が加速されるように構成されている。これは、第１の負荷領域ではタービン装置２２、特にシャフト２８が第１の回転数で回転し、第２の負荷領域ではタービン装置２２、特にシャフト２８は第１の回転数よりも大きい第２の回転数で回転することを意味する。これによって、タービン装置２２が第２の負荷領域においてシャフト２８を介してより大きな機械エネルギーを供給するので、発電機３０はこの第２の負荷領域において、第１の負荷領域におけるよりも大きい電流を供給する。
【００３０】
タービン装置２２ないしシャフト２８を加速するためには、例えば、第２の負荷領域において第１の負荷領域におけるよりも多量の蒸気を蒸気発生器２０により供給することが必要である。このためにガスタービン１２は第２の負荷領域において第１の負荷領域におけるよりも多量の排ガスを提供する。ガスタービン１２自身は特に急速且つ容易に出力アップすることができる。しかし、蒸気発生気２０ないしこの蒸気発生器２０により発生可能な蒸気量はガスタービン１２より遅れる。というのは、ガスタービン１２は蒸気発生器２０により生じる蒸気発生よりも速く出力アップすることができるからである。
【００３１】
そして、発電所を特にエネルギー効率よく且つ急速に出力アップするために、この発電所１０は、蒸気を蓄えるためにルース式アキュムレータ３４の形の蒸気蓄積器を有している。方向付き矢印３６から判るように、発電所運転方法の一環として、ガスタービン１２の排ガスにより並びに蒸気発生気２０により発生された蒸気の少なくとも一部が分岐される。この分岐された蒸気、すなわち、ガスタービン１２の排ガスにより発生された蒸気の分岐された部分がルース式アキュムレータ３４に供給され、このルース式アキュムレータ３４に蓄えられる。このことは、特に第１の負荷領域の期間中に、及び／又は、第２の負荷領域の期間中に行われる。
【００３２】
方向付き矢印３６から判るように、ルース式アキュムレータ３４に蓄えられた蒸気の少なくとも一部がこのルース式アキュムレータ３４から排出される。ルース式アキュムレータ３４から排出された蒸気は例えば第６番目の温度Ｔ６と３８バールの圧力を有している。この第６番目の温度Ｔ６は例えば２５０℃（摂氏）である。ルース式アキュムレータ３４から排出された蒸気は発電所の反応装置４０に供給される。この反応装置４０ではルース式アキュムレータ３４から排出された蒸気が、発熱化学反応で解放された熱によって加熱され、その結果、反応装置４０の下流での蒸気の温度は例えばＴ７であり、これは第６番目の温度Ｔ６よりも高い。この温度Ｔ７は好適には４５０℃であり、反応装置４０の下流での蒸気圧力は例えば３８バールである。
【００３３】
この図面の方向付き矢印４２から判るように、反応装置４０により加熱された蒸気がタービン装置２２に供給される。特に、この蒸気はタービン２６、特に中圧タービンに供給されるので、タービン装置２２、特にタービン２６及び好適には中圧タービンが、反応装置４０により加熱された、特に過熱された蒸気によって駆動される。反応装置４０内で加熱された蒸気によりタービン装置２２が駆動されることによって、タービン装置２２、特にシャフト２８が加速されるので、この発電所を、既述したように、第１の負荷領域から第２の負荷領域に出力アップすることができる。
【００３４】
好適に、吸熱化学反応の生成物が発熱化学反応の反応物として利用されるように構成されており、この場合、この吸熱化学反応は熱により惹き起こされる。これは、この発熱化学反応が化学平衡反応の例えば逆反応である、ことを意味する。吸熱化学反応はこの化学平衡反応の正反応である。この正反応、すなわち、吸熱化学反応は熱を吸収し、この熱が正反応ないし正反応の反応物に供給される。この正反応の反応物から正反応の生成物が生じる。正反応（吸熱化学反応）のこの生成物が逆反応（発熱化学反応）の反応物である。
【００３５】
逆反応の一環で、逆反応の反応物から逆反応の生成物が生じる。逆反応のこの生成物を正反応の反応物として利用することができる。こうして、正反応を惹き起こすべく正反応の反応物に供給された熱が正反応の生成物に蓄えられる。これによって、エネルギーを特に有利に蓄えることができ、このエネルギーを後の諸目的のために、ないし、さらに後の時点で特に発電所の出力アップの一環として利用することができる。例えば、第１の負荷領域の期間中に、及び／又は、第２の負荷領域の期間中に、正反応を惹き起こすために正反応の反応物にこの熱を供給することが可能である。
【００３６】
出力アップ期間中に逆反応が進行するので、熱が解放され、この熱を用いてルース式アキュムレータ３４から排出された蒸気が加熱され、特に過熱される。好適には、吸熱化学反応（正反応）を惹き起こすための熱が、ガスタービンの排ガスにより発生された蒸気の少なくとも一部から得られるように構成されている。特に、正反応を惹き起こすために、上記の蒸気の一部から得られた熱を正反応の反応物に伝達することが考えられる。例えば、ガスタービン１２により、すなわち、ガスタービン１２の排ガスにより発生された蒸気の少なくとも一部から得られた熱が少なくとも１つの熱交換器を介して吸熱化学反応の反応物に伝達される。その結果、吸熱化学反応が惹き起こされるので、この反応物に供給された熱の少なくとも一部が吸熱化学反応の生成物に蓄えられる。
【００３７】
逆反応（発熱化学反応）の一環で、正反応の生成物に蓄えられた熱が解放され、この解放される熱はルース式アキュムレータ３４から排出された蒸気を過熱するのに利用される。発熱化学反応の一環で解放される、ないし、解放された熱は例えば熱交換器を介して、ルース式アキュムレータ３４から排出された蒸気に供給され、その結果、ルース式アキュムレータ３４から排出された蒸気を効果的且つ急速に加熱することができる。
【００３８】
これに代えて又はこれに加えて、蒸気から正反応の反応物への熱伝達を、及び／又は、逆反応の一環で解放される熱のルース式アキュムレータ３４から排出された蒸気への伝達を、直接に、すなわち、熱交換器を介在させずに実現することが考えられる。この時、それぞれの蒸気は正反応の反応物、ないし、逆反応の反応物及び／若しくは生成物と接触し、この場合、蒸気は正反応の反応物、ないし、逆反応の反応物及び／若しくは生成物に衝突して流れる、ないし、その周りを流れる。熱交換器を使用することにより、蒸気を正反応の反応物、ないし、逆反応の反応物及び／若しくは生成物から空間的に分離することができるので、蒸気は正反応の反応物、ないし、逆反応の反応物及び／若しくは生成物と直接には接触しない。
【００３９】
ルース式アキュムレータ３４に供給される蒸気は例えば、質量流量が２１．４ｋｇ／ｓ、圧力が３８バール、温度が３３４℃である。ルース式アキュムレータ３４では、蓄えられた蒸気の温度は例えば２５０℃である。
【００４０】
タービン装置２２を駆動するためにタービン装置２２に供給される蒸気は例えば、質量流量が２５ｋｇ／ｓ（キログラム／秒）である。ルース式アキュムレータ３４から排出された蒸気の温度は、最初は、ルース式アキュムレータ３４の下流で、及び、反応装置４０の上流で、例えば２５０℃である。逆反応の一環で解放された熱により、この蒸気は反応装置４０において例えば４５０℃に加熱される。
【００４１】
これに代えて又はこれに加えて、吸熱化学反応を惹き起こすための熱をガスタービン１２の排ガスの少なくとも一部から得ることが考えられる。特に、吸熱化学反応を惹き起こすための熱を蒸気発生器２０から流出するガスタービン１２の排ガスの少なくとも一部から得ることが考えられる。これにより、吸熱化学反応を惹き起こすために、ガスタービン１２の排ガスを、特に蒸気発生器２０の下流で利用することができる。ガスタービン１２の排ガスから得られた熱の正反応の反応物への伝達は、例えば、ガスタービン１２により発生された蒸気に関して説明した上述の方法で行うことができる。
【００４２】
逆反応は反応装置４０内で生じる。さらに、正反応が反応装置４０内で生じうる。さらに、正反応を実施するために吸熱反応装置を使用することが考えられ、この場合には、逆反応を実施するために例えば発熱反応装置が使用される。
【００４３】
正反応、ないし、正反応の生成物を用いて、反応装置４０と協働して熱化学的な蓄熱器が得られ、この熱化学的な蓄熱器に、いずれにせよ利用可能な熱を上述した方法で蓄えることができる。この熱化学的な蓄熱器は、蒸気蓄積器として機能するルース式アキュムレータ３４のための補完であり、これによって、蓄熱器であるこの熱化学的な蓄熱器を用いて、逆反応の助けを借りて、ルース式アキュムレータ３４から排出された蒸気を加熱することができる。
【符号の説明】
【００４４】
１０    発電所
１２    ガスタービン
１４    燃料
１６    空気
１８    排ガス
２０    蒸気発生器
２２    タービン装置
２４    第１タービン
２６    第２タービン
２８    シャフト
３０    発電機
３４    ルース式アキュムレータ
４０    反応装置
Ｔ１、Ｔ２、Ｔ３，Ｔ４、Ｔ５、Ｔ６、Ｔ７    温度  
【図１】
0006706671.tif 000002